(57)【要約】【課題】航海中の船舶から、機器メーカが必要とするデータを即時送信出来ることにより、機器メーカが迅速にデータ解析・分析を実施できる通信衛星及びインターネットを利用した船舶用機器の診断システムを得る。【解決手段】船舶用機器と、船舶用機器の各種センサーを制御してメンテナンス用データを蓄積するデータロガーと、船舶から送信されたメンテナンス用データを送信する通信衛星と、通信衛星からのデータを受信する中継局と、インターネット網を介して受信したメンテナンス用データを解析・分析し、船舶用機器の対処方法を診断する機器メーカとを備え、機器メーカの診断結果により、遠隔制御によるメンテナンスが可能と判断された場合、インターネット網、中継局及び通信衛星を通じて船舶用機器の遠隔制御用の制御データを船舶へ送信する。【選択図】図１
2007131275.tif 000002
【特許請求の範囲】
【請求項１】
航行中の船舶に搭載された船舶用機器と、
前記船舶用機器に取り付けられた各種センサーを制御してデータを収集し、収集したデータをメンテナンス用データに変換して蓄積するデータロガーと、
航海中の船舶から送信された前記メンテナンス用データを地上へ送信する通信衛星と、
前記通信衛星から送信されたデータを受信する中継局と、
前記中継局に接続されたインターネット網を介して受信されたメンテナンス用データを解析・分析し、船舶用機器の状態に応じた対処方法を診断する機器メーカとを備え、
前記機器メーカの診断結果により、遠隔制御によるメンテナンスが可能と判断された場合、インターネット網、中継局及び通信衛星を通じて前記船舶用機器の遠隔制御用の制御データを船舶へ送信することを特徴とする通信衛星及びインターネットを利用した船舶用機器の診断システム。
【請求項２】
船舶用機器は、遠隔制御が可能な電気機器であることを特徴とする請求項１記載の通信衛星及びインターネットを利用した船舶用機器の診断システム。
【請求項３】
データロガーは、任意または一定期間毎に蓄積データを通信衛星に送信することを特徴とする請求項１又は請求項２記載の通信衛星及びインターネットを利用した船舶用機器の診断システム。
【発明の詳細な説明】
【技術分野】
【０００１】
この発明は、予防保全対象となる船舶用機器のデータを採取し、通信衛星及びインターネットを利用して機器メーカに送信し、機器メーカにてデータを解析し診断を行う通信衛星及びインターネットを利用した船舶用機器の診断システムに関するものである。
【背景技術】
【０００２】
従来の船舶用電気機器においては、船の航海中に電気機器の突発的異常事態が発生し、乗員の調整だけでは対処が出来ない場合、電気機器メーカへ状況を連絡し、対処することがあるが、電気機器メーカと乗員の情報連絡において、電話やＦＡＸでは電気機器のリアルタイムデータの連絡が困難であり、異常事態の復旧に多大の労力と時間がかかり、船の運航スケジュールを妨げる要因となっていた。
【０００３】
また、従来技術として、舶用エンジンに起因するトラブルを未然に防止できる舶用エンジンの診断・保守システムが提案されている（例えば、特許文献１参照）。
【０００４】
【特許文献１】特開２００２−１８３３４１号公報
【発明の開示】
【発明が解決しようとする課題】
【０００５】
従来のように、船舶用電気機器に異常が発生した際の電気機器メーカと乗員の連絡方法としては、船舶からの電話やＦＡＸによる伝達であったが、電気機器の詳細情報及びリアルタイムで変化する情報については、情報の伝達がスムーズにいかず、問題解決に必要なデータの抽出を逃がしてしまうという問題点があった。
【０００６】
また、特許文献１記載の舶用エンジンの診断・保守システムは、人工衛星を介して通信を行う衛星通信網から構成でき、船舶が地球上の何処にいても対応が可能であるが、舶用エンジンに関するデータに基づいて舶用エンジンの診断及び寿命予測を行い、その予測結果に基づいて保守計画の立案及び保守部品の手配を行うものである。従って、船舶では、予め手配された保守部品がある場合は、必要に応じて舶用エンジン部品を保守部品に交換できるが、突発的異常事態であって、保守部品が予め手配されていない場合には対応することができなかった。
【０００７】
この発明は、上記のような課題を解決するためになされたものであり、航海中の船舶から、機器メーカが必要とするデータを即時送信出来ることにより、機器メーカが迅速にデータ解析・分析を実施でき、問題解決までの所要時間を大幅に短縮できる通信衛星及びインターネットを利用した船舶用機器の診断システムを提供するものである。
【課題を解決するための手段】
【０００８】
この発明に係る通信衛星及びインターネットを利用した船舶用機器の診断システムにおいては、航行中の船舶に搭載された船舶用機器と、船舶用機器に取り付けられた各種センサーを制御してデータを収集し、収集したデータをメンテナンス用データに変換して蓄積するデータロガーと、航海中の船舶から送信されたメンテナンス用データを地上へ送信する通信衛星と、通信衛星から送信されたデータを受信する中継局と、中継局に接続されたインターネット網を介して受信されたメンテナンス用データを解析・分析し、船舶用機器の状態に応じた対処方法を診断する機器メーカとを備え、機器メーカの診断結果により、遠隔制御によるメンテナンスが可能と判断された場合、インターネット網、中継局及び通信衛星を通じて船舶用機器の遠隔制御用の制御データを船舶へ送信するものである。
【発明の効果】
【０００９】
この発明によれば、航海中の船舶に搭載されている船舶用機器のリアルタイムでの監視が可能となり、異常事態が発生した際に即座にメンテナンス用データを機器メーカに送信し、異常事態の早期解決を図ることが可能となる。また、機器メーカが航海中の船舶に出向いてのメンテナンスが不可能であっても、遠隔制御が可能である機器には、制御データを送信してのメンテナンスが可能となり、メンテナンス作業の費用が大幅に軽減される。
【発明を実施するための最良の形態】
【００１０】
実施の形態１．
図１はこの発明の実施の形態１における通信衛星及びインターネットを利用した船舶用機器の診断システムを示す概略構成図である。
図において、本システムは、航海中の船舶１に搭載されている船舶用電気機器２、データロガー３、通信衛星４、中継局５、インターネット網６、電気機器メーカ７から構成されている。船舶用電気機器２は、接続された各種センサにてデータを計測し、データロガー３に送信する。データロガー３は、船舶用電気機器２及び各種センサから受信したデータをメンテナンス用データに変換し、データの蓄積及び任意または一定期間毎に蓄積データを通信衛星４に送信する。通信衛星４は、航海中の船舶１から送信されたデータを地上の中継局５へ送信する。中継局５は、通信衛星４経由で受信したデータをインターネット網６を通して電気機器メーカ７へ送信する。電気機器メーカ７は、インターネット網６を通して受信したメンテナンス用データを解析、分析し、船舶用電気機器２の状態に応じた適切な対処方法を診断する。電気機器メーカ７は、診断の結果、遠隔制御によるメンテナンスが可能と判断された場合、インターネット網６、中継局５及び通信衛星４を通じて船舶用電気機器２の遠隔制御用の制御データを航海中の船舶１へ送信し、船舶用電気機器２の遠隔操作を行うことができる。
【００１１】
また、図２は船舶内の電気機器とデータロガーの構成を示すブロック図である。データロガー３は、船舶用電気機器２に取り付けられた各種センサを制御し、データを収集する。または、遠隔制御が可能である船舶用電気機器２に、電気機器メーカ７から送信された制御データを送信する。遠隔制御が可能である船舶用電気機器２は、制御データがデータロガー３から送信されると、その制御データに応じた動作を行う。これにより、航海中の船舶に搭載されている船舶用機器のリアルタイムでの監視が可能となり、異常事態が発生した際に即座にメンテナンス用データを機器メーカに送信し、異常事態の早期解決を図ることが可能となる。また、機器メーカが航海中の船舶に出向いてのメンテナンスが不可能であっても、遠隔制御が可能である機器には、制御データを送信してのメンテナンスが可能となり、メンテナンス作業の費用が大幅に軽減される。
【図面の簡単な説明】
【００１２】
【図１】この発明の実施の形態１における通信衛星及びインターネットを利用した船舶用機器の診断システムを示す概略構成図である。
【図２】船舶内の電気機器とデータロガーの構成を示すブロック図である。
【符号の説明】
【００１３】
１  航海中の船舶
２  船舶用電気機器
３  データロガー
４  通信衛星
５  中継局
６  インターネット網
７  電気機器メーカ
【図１】
2007131275.tif 000003
【図２】
2007131275.tif 000004